(57)【要約】【課題】商品に取り付けられるケースと、そのケースの商品取り付け面から出没可能に設けられ弾性体により突出方向に付勢された検知片と、前記ケース内に前記検知片の作動に基づいて警告信号を発する警報器とを備えた盗難防止タグにおいて、商品に対する取り付け、取り外しを容易に行い得るようにする。【解決手段】正面側板部材３と背面側板部材４とからなる商品に取り付けられる箱形のケース２は、正面側板部材３の表面である商品取り付け面に押し付ける向きに付勢される商品押さえ片２２と、これを支持し正面側板部材３から出没可能な一対の支持軸２３と、これらと一体化され背面側板部材４から出没可能な押しボタン２５とを備えるクランプを有する。【選択図】図１
2010211395.tif 000002
【特許請求の範囲】
【請求項１】
商品(４０)に取り付けられるケース(２)と、そのケース(２)の商品取り付け面から出没可能に設けられ弾性体により突出方向に付勢された検知片(１１)と、前記ケース(２)内に前記検知片(１１)の作動に基づいて警告信号を発する警報器(６)とを備えた盗難防止タグにおいて、
前記ケース(２)は、前記商品取り付け面に対向する商品押さえ片(２２)と、これを支持し前記商品取り付け面から出没可能に設けられた支持軸(２３)と、前記商品押さえ片(２２)を前記商品取り付け面に押し付ける向きに付勢する弾性体(２４)とを備えるクランプ(２１)が設けられ、前記商品押さえ片(２２)は、前記商品取り付け面から突出状態の前記検知片(１１)が収まる収納穴(２６)を有することを特徴とする盗難防止タグ。
【請求項２】
前記クランプ(２１)は、前記ケース(２)の商品取り付け面に対向する背面から出没可能に、かつ前記支持軸(２３)に一体に設けられた押しボタン(２５)を備え、前記押しボタン(２５)の押圧により、前記支持軸(２３)が前記商品取り付け面から突き出すようにしたことを特徴とする請求項１に記載の盗難防止タグ。
【請求項３】
前記商品取り付け面の前記商品押さえ片(２２)との対向部分にリブ(１６)が形成され、そのリブ(１６)は、前記ケース(２)の長さ方向に対して交差する方向に沿って形成され、前記検知片(１１)の両側に配置されたことを特徴とする請求項１または２に記載の盗難防止タグ。
【請求項４】
前記検知片(１１)は前記ケース(２)の長さ方向に対して交差する方向に所要長さをもって形成され、前記商品押さえ片(２２)の前記交差方向の範囲内に設けられたことを特徴とする請求項１から３のいずれか１つに記載の盗難防止タグ。
【請求項５】
前記クランプ(２１)が前記ケース(２)の長さ方向に並ぶ２本の前記支持軸(２３)を備えることを特徴とする請求項１から４のいずれか１つに記載の盗難防止タグ。
【請求項６】
前記リブ(１７)は、前記ケース(２)の長さ方向に沿ってさらに設けられ、前記検知片(１１)よりも前記ケース(２)の幅方向の外側に配置されたことを特徴とする請求項３に記載の盗難防止タグ。
【請求項７】
前記商品押さえ片(２２)または前記ケース(２)の商品取り付け面の少なくともいずれか一方に、前記商品(４０)に対する緩衝部材(３０)が設けられたことを特徴とする請求項１から６のいずれか１つに記載の盗難防止タグ。
【請求項８】
前記商品押さえ片(２２)の収納部(２６)が貫通孔であることを特徴とする請求項１から７のいずれか１つに記載の盗難防止タグ。
【発明の詳細な説明】
【技術分野】
【０００１】
この発明は、商品に取り付ける盗難防止タグに関し、特に、商品や陳列品の万引き・盗難防止用機器として自鳴式の盗難防止タグに関するものである。
【背景技術】
【０００２】
一般に、各種の店舗において、商品や陳列品の万引き・盗難防止用機器として盗難防止タグが商品等に取り付けられている。この盗難防止タグは、これが不正に商品から外されると、その内部に設けたブザーが警告音を発するものである。
【０００３】
このような自鳴式の盗難防止タグは、ケースの内部に電源電池、ブザー等の警報器、これらを接続する警報回路が形成された基板、盗難を検知するための検知スイッチ等を収納したものである。この検知スイッチとしては、検知ピンの出し入れによって接点が開閉されるプッシュスイッチ式のものが用いられ、この検知ピンがケースの商品取り付け面から出没可能に、外向きに付勢するように取り付けられている（特許文献１参照）。
【先行技術文献】
【特許文献】
【０００４】
【特許文献１】特開２００２−８１５２号公報  この盗難防止タグを使用するには、ケースの商品取り付け面を商品に接するように両面テープなどによって商品に貼り付けて、検知ピンを押し込んで警戒状態にしておく。この警戒状態において、万引きをしようとする者が、盗難防止タグを商品から不正に剥がし取ると検知ピンが突出する。この検知ピンの突出により検知スイッチの接点が閉じて、その閉じた接点に基づき警報ブザーが警告音（警告信号）を発して、万引きの発生を店の者に知らせることができる。
【０００５】
また、商品に盗難防止タグを付けたままで店外に持ち出そうとすると、店の出口に設けられたゲートが常時、特定の波長の電波を発するようになっていて、盗難防止タグがこの電波を受信し、警告音を発するようにもなっている。
【発明の概要】
【発明が解決しようとする課題】
【０００６】
しかし、従来の盗難防止タグは、商品の一部分で検知ピンを押し込み、その押し込み状態で盗難防止タグを支えながら、結束帯、あるいは専用のベルトなどの取り付け部材を棒体と一緒に巻きつけて、取り付ける必要があった。このため、盗難防止タグの取り付けに手間がかかり、その取り付け作業が煩わしいものとなっていた。
【０００７】
そこで、この発明の課題は、商品に対する取り付け、取り外しを容易に行い得るようにすることである。
【課題を解決するための手段】
【０００８】
前記の課題を解決するために、この発明は、商品に取り付けられるケースと、そのケースの商品取り付け面から出没可能に設けられ弾性体により突出方向に付勢された検知片と、前記ケース内に前記検知片の作動に基づいて警告信号を発する警報器とを備えた盗難防止タグにおいて、前記ケースは、前記商品取り付け面に対向する商品押さえ片と、これを支持し前記商品取り付け面から出没可能に設けられた支持軸と、前記商品押さえ片を前記商品取り付け面に押し付ける向きに付勢する弾性体とを備えるクランプが設けられ、前記商品押さえ片は、前記商品取り付け面から突出状態の前記検知片が収まる収納穴を有する構成を採用したのである。
【０００９】
この構成により、商品への取り付けの際、クランプの商品押さえ片を引き出して、その商品押さえ片とケースとの間に商品の一部を差し込むと、商品押さえ片は弾性体により商品取り付け面に押し付ける向きに付勢されているので、商品の一部をケースとの間で挟むことができる。
【００１０】
クランプの商品押さえ片によって商品の一部を挟むので、従来の盗難防止タグのように、結束帯や専用のベルトを巻きつけることにより取り付ける必要がなく、容易に商品に取り付けることができる。
【００１１】
一方、商品からの取り外しは、商品押さえ片を引き出すことにより行うことができるので、従来の場合において商品への取り付けに使用した結束帯や専用のベルトを取り除く必要がなく、簡単に商品から取り外すことができる。
【００１２】
前記構成において、前記クランプは、前記ケースの商品取り付け面に対向する背面から出没可能に、かつ前記支持軸に一体に設けられた押しボタンを備え、前記押しボタンの押圧により、前記支持軸が前記商品取り付け面から突き出すようにした構成を採用することができる。
【００１３】
この構成では、商品への取り付けの際、押しボタンを押圧すると、これに一体に設けたクランプの支持軸がケースの商品取り付け面から突き出し、商品押さえ片が引き上げられる。このため、一方の手で持った商品に、他方の手で押しボタンを押しながらクランプで挟むことで、取り付け作業をより効果的に行うことができる。
【００１４】
また、商品からの取り外しの際、押しボタンを押圧することで、商品押さえ片は押し付けている商品の一部から離れるように引き上げられる。このため、取り付け作業と同様、商品を一方の手で持った状態で、他方の手で押しボタンを押して、クランプの商品押さえ片を引き上げて、容易に取り外すことができる。
【００１５】
従来の盗難防止タグにおいては、ケースの商品取り付け面を商品の表面に押し付けることにより、検知片を押し込んでいるので、商品に取り付けた盗難防止タグの検知片とその商品との間に、薄い板材を差し込むことが可能であった。それによって、検知片を押し込み、検知スイッチの警戒状態を維持したまま、すなわち警報音を発生させることなく、盗難防止タグが商品から取り外されてしまうことがある。
【００１６】
薄い板材の差し込みを防止するため、盗難防止タグを完全に覆うように専用の透明フィルムで巻き付けて、商品に取り付けることが考えられるが、商品への盗難防止タグの取り付け、取り外しが煩雑になってしまうという問題があった。
【００１７】
この問題を解決するため、前記商品取り付け面の前記商品押さえ片との対向部分にリブが形成され、そのリブは、前記ケースの長さ方向に対して交差する方向に沿って形成され、前記検知片の両側に配置された構成を採用することができる。
【００１８】
ここで、ケースの長さ方向とは、ケースを取り付ける商品の一部分が棒体である場合、その棒体の長さ方向を意味する。
【００１９】
この構成によれば、商品に取り付けたケースとその商品との間に薄い板材をケースの長さ方向に差し込むと、その薄い板材がリブに突き当たる。このため、検知片とその商品との間に薄い板材を差し込むことができず、検知片を押し込んだ状態で盗難防止タグが商品から不正に取り外されるのを防止することができる。また、リブは検知片の両側に形成されているので、ケースの長さ方向の両方向に対して薄い板材の差し込みを防止することができる。
【００２０】
通常、盗難防止タグは、ケースの商品取り付け面を商品の表面に押し付けることにより、検知片が押し込まれて警戒状態とされる。しかし、取り付けられる商品が、例えば眼鏡のテンプル、ゴルフクラブなど一部に細い棒体を有するものである場合、その棒体の周面で検知片を押し込み、その押し込み状態で盗難防止タグを支えながらの盗難防止タグの取り付けは難しい。
【００２１】
このため、商品の一部分である棒体で検知片を容易に押し込むため、前記検知片は、前記ケースの長さ方向に対して交差する方向に所要長さをもって形成され、前記商品押さえ片の前記交差方向の範囲内に設けられた構成を採用することができる。
【００２２】
商品押さえ片が支持軸を中心に回転することを防止する目的で、前記クランプが前記ケースの長さ方向に並ぶ２本の前記支持軸を備える構成を採用してもよい。この場合、２本の支持軸によって、商品押さえ片をケースの商品押し付け面に対して向かい合う状態に保持することも可能である。
【００２３】
前記商品取り付け面の前記商品押さえ片との対向部分にリブが形成された構成において、前記リブは、前記ケースの長さ方向に沿ってさらに設けられ、前記検知片よりも前記ケースの幅方向の外側に配置された構成を採用することができる。
【００２４】
リブがケースの長さ方向に設けられると、ケースと商品との間に薄い板材をケースの長さ方向に交差する方向に差し込むと、その薄い板材がリブに突き当たる。この場合も、リブをケースの長さ方向と直交方向に設けた場合と同様、検知片とその商品との間に薄い板材を差し込むことができず、検知片を押し込んだ状態で盗難防止タグが商品から不正に取り外されるのを防止することができる。
【００２５】
前記商品押さえ片の表面または前記ケースの商品取り付け面の少なくともいずれか一方に、前記商品に対する緩衝部材が設けられると、商品押さえ片、あるいはケースの商品取り付け面に接する商品の一部分が傷つくことを防止できる。
【００２６】
また、突出状態の検知片を収納する商品押さえ片の収納部は、その商品押さえ片に設けた凹部や溝とすることができるが、例えば、貫通孔であれば、外部から検知片の位置が分かり易くなる。したがって、商品の一部分により検知片を確実に押さえることができる。
【発明の効果】
【００２７】
以上のように、この発明の盗難防止タグは、クランプにより商品の一部分を挟むことができるので、商品への取り付け、取り外し作業の効率を向上させることができる。
また、商品への取り付けの際、結束帯や専用のベルト等を別途準備する必要がない。
【図面の簡単な説明】
【００２８】
【図１】実施例１の盗難防止タグを正面側より見た斜視図
【図２】同上の盗難防止タグを背面側より見た斜視図
【図３】同上の盗難防止タグの横断面図
【図４】図３のＡ−Ａ線における断面図
【図５】実施例１の盗難防止タグの要部を表わす分解斜視図
【図６】同上の盗難防止タグを示す一部切り欠き正面図
【図７】同上の盗難防止タグの使用状態を示す一部切り欠き横断面図
【図８】図７のＢ−Ｂ線における断面図
【図９】同上の盗難防止タグを取り付けた商品を示す斜視図
【図１０】同上の盗難防止タグの使用状態を示す斜視図
【図１１】（ａ）実施例２の盗難防止タグの一部切り欠き横断面図、（ｂ）同上の盗難防止タグの使用状態を示す一部切り欠き横断面図
【発明を実施するための形態】
【００２９】
以下、この発明に係る盗難防止タグの実施例を添付図面に基づいて説明する。
【実施例１】
【００３０】
この実施例１での盗難防止タグ１は、図１、図２に示すように、商品に取り付けられるケース２と、そのケース２の商品取り付け面から出没可能に設けられ突出方向に付勢された検知片１１と、ケース２の商品取り付け面との間で商品の一部を挟むクランプ２１とを備えている。
【００３１】
ケース２は、周縁全周に側壁を有する長方形状の正面側板部材３および背面側板部材４とからなり、これらの板部材の側壁を互いに嵌め合わせることにより箱状に形成される。
【００３２】
ケース２の内部には、図３、図４に示すように、電源であるボタン型電池５、警報器としてのブザー６、および盗難を検知する検知スイッチ７および特定の信号を受信可能なアンテナ８が実装され、これらの実装部品を電気的に接続する警告回路９が形成された基板１０が収納されている。
【００３３】
ブザー６は基板１０上でのケース２の一端寄りに実装され、警告信号を背面側板部材４表面の一端寄りに形成された複数のスピーカー孔１２を通して外部へ伝えるようになっている。
【００３４】
基板１０上の検知スイッチ７は、その接点（図示省略）を開閉する検知片１１を備えている。検知片１１は、正面側板部材３に設けた孔１３から出没可能に設けられ、検知スイッチ７内の図示しない弾性体により突出方向に付勢され、ケース２の長さ方向に対して直交方向に所要長さをもって形成される。この所要長さは、商品押さえ片２２の前記直交方向長さの範囲内であればよい。
【００３５】
このように検知片１１が形成されると、商品の一部分が棒体である場合、その棒体にケース２を取り付ける際、棒体によって検知片１１はその長さ方向（ケース２の長さ方向に対して直交方向）の任意の位置で没入（押し込み）可能となる。このため、容易に警戒状態に移行させることができる。
【００３６】
また、検知片１１は前記の棒体をケース２の長さ方向に沿って取り付けた状態で、検知片１１を押し込むことができる方向に設ければよい。したがって、必ずしもケース２の長さ方向に対して直交する方向に設ける必要はなく、ケース２の長さ方向に対して交差する任意の方向に設けられていればよい。
【００３７】
検知片１１の出没に応じて、検知スイッチ７の接点が開閉し、その開閉に基づいてブザー６が音（警告信号）を発する。なお、ブザー６により警告信号が発せられた際、基板１０に実装されたＬＥＤ（図示省略）を点灯または点滅させて、視覚的にも外部に警告信号を発するようにしてもよい。
【００３８】
アンテナ８は、商品及び商品にとりつけた盗難防止タグ１が、出入口等に配置したゲートからの信号送信領域内に持ち運ばれ、ゲートからの特定の信号をアンテナ８が受信した場合、警告回路９はその受信信号を検知して、ブザー６により警告信号を発するようになっている。これにより、未清算の商品が店外に持ち出されることを防止する。
【００３９】
また、基板１０に、例えば、非接触方式のＩＣタグ（図示省略）を実装すれば、盗難防止タグ１を取り付けた商品の出所確認や、出庫管理、顧客情報などの商品情報をＩＣタグに記憶させることができる。これにより、ＩＣタグに新たな情報を書き込んだり、または不要な情報を消去したり情報の更新をすることができるため、盗難防止タグ１を商品管理に利用することが可能となる。
【００４０】
商品の一部分を挟むクランプ２１は、図５に示すように、商品取り付け面とされる正面側板部材３の表面に向かい合う商品押さえ片２２と、これを支持し正面側板部材３から出没可能に設けられた２本一対の支持軸２３と、商品押さえ片２２を商品取り付け面に押し付ける向きに付勢する弾性体としてのコイルばね２４と、一対の支持軸２３、２３に一体に設けられ背面側板部材４の表面から出没可能にスライドする押しボタン２５を備えている。
【００４１】
商品押さえ片２２は、その幅が正面側板部材３に対して同幅に形成された矩形の板体からなり、正面側板部材３の孔１３を覆うように配置され、その商品押さえ片２２を貫通する窓２６を備えている。窓２６は孔１３に連通し、その孔１３から突出状態の検知片１１を収納する収納部とされる。窓２６が貫通孔であるため、外部から検知片１１の位置が分かり易くなり、商品の一部分により検知片１１を確実に押さえることが可能となる。
【００４２】
また、商品押さえ片２２には、一対の支持軸２３の一端部が一体に設けられている。一対の支持軸２３は正面側板部材３の幅方向（ケース２の長さ方向に対して直交方向）一端部寄りに、かつケース２の長さ方向に並んで形成された一対の貫通孔１４にそれぞれ挿通され、正面側板部材３の表面から出没可能にスライドする。
【００４３】
この実施例１では一対の支持軸２３で商品押さえ片２２を支持しているが、クランプ２１としての強度を備えている限り、一本の支持軸で支持するようにしてもよい。一対の支持軸２３により支持すれば、商品押さえ片２２の回転を防止できるとともに、商品押さえ片２２を商品取り付け面に対して向かい合う状態に確実に保持することができる。
【００４４】
また、商品押さえ片２２の商品取り付け面側の表面には、柔軟で弾性を備える素材、例えば、発泡ウレタンや合成ゴムからなる緩衝部材３０が設けられている（図４参照）。この緩衝部材３０は、商品押さえ片２２の前記表面のうち支持軸２３よりも正面側板部材３の幅方向他端側に、かつ、正面側板部材３の長さ方向の全長にわたる範囲に設けられている。また、その表面を凹凸に形成することで滑り止めとされる。
【００４５】
緩衝部材３０によって、商品押さえ片２２で商品取り付け面との間に商品の一部分を傷付けることなく挟むことができる。また、緩衝部材３０は商品取り付け面である正面側板部材３の表面に設けることもでき、商品押さえ片２２および正面側板部材３の両方に設けてもよい。すなわち、これらの少なくともいずれか一方に設けられていればよい。
【００４６】
押しボタン２５は一端が閉塞した円筒部２７とフランジ２８とからなる。円筒部２７は背面側板部材４に形成された貫通孔１５から出没可能にスライドする。フランジ２８は円筒部２７の外側に配置された一対の固定孔２９を備え、各固定孔２９に挿通したねじ３１をそれぞれの支持軸２３に締め付けることで、支持軸２３と一体化される。これにより、押しボタン２５を押すと、一対の支持軸２３、２３が正面側板部材３から突き出す。
【００４７】
また、押しボタン２５の円筒部２７の内部には、コイルばね２４の一端部が挿し込まれ、他端部が正面側板部材３の内面に設けられたばね支持部３２に支持されている（図３参照）。このコイルばね２４は、押しボタン２５が押圧された際、圧縮されるように支持されている。このため、その復元力により、押しボタン２５を背面側板部材４から突出方向に付勢する。
【００４８】
押しボタン２５が突出方向に付勢されると、これに一体にスライドする一対の支持軸２３、２３がケース２内に没入方向に付勢され、さらに、支持軸２３に一体化された商品押さえ片２２が商品取り付け面を押し付ける向きに付勢される。
【００４９】
また、図６に示すように、商品取り付け面のうち商品押さえ片２２との対向部分に、ケース２の幅方向（ケース２の長さ方向に対して直交方向）のリブ１６が設けられる。このリブ１６は検知片１１が出没する孔１３を挟んで両側に配置され、商品取り付け面に押し付けられた状態の商品押さえ片２２の周縁部に当接する。
【００５０】
リブ１６は、不正の目的で商品に取り付けたケース２と商品の一部分との間に薄い板材（図示省略）をケース２の長さ方向に差し込んだ場合、薄い板材がリブ１６に突き当たる方向に設けられていればよい。したがって、必ずしもケース２の長さ方向に対して直交方向に設ける必要はなく、例えば、ケース２の長さ方向に対して交差する任意の方向に設けることができる。
【００５１】
これにより、薄い板材をケース２の長さ方向に差し込んだ場合、その薄い板材がリブ１６に突き当たる。このため、検知片１１と商品の一部分との間に薄い板材を差し込むことができず、検知片１１を押し込んだ状態で盗難防止タグ１が商品から不正に取り外されるのを防止することができる。
【００５２】
さらに、商品取り付け面のうち商品押さえ片２２との対向部分にケース２の長さ方向に形成されたリブ１７が設けられる。リブ１７は、正面側板部材３において、孔１３に対して、ケース２の幅方向の貫通孔１４と反対側の端部に設けられ、商品取り付け面に押し付けられた状態の商品押さえ片２２の周縁部に当接する。
【００５３】
リブ１７により、薄い板材をケース２の幅方向に差し込んだ場合も、薄い板材がリブ１７に突き当たる。このため、検知片１１とその商品との間に薄い板材を差し込むことができず、リブ１６の場合と同様、検知片１１を押し込んだ状態で盗難防止タグが商品から不正に取り外されるのを防止することができる。
【００５４】
リブ１６、１７の高さは、検知片１１の突出高さよりも低いものであり、ケース２を商品に取り付けた際、検知片１１が商品により押し込まれ警戒状態を維持できる高さであればよい。
【００５５】
以上のように、この実施例の盗難防止タグ１は構成され、以下にその使用方法を図７から図１０に基づいて説明する。
【００５６】
まず、盗難防止タグ１を一方の手で持ち、クランプ２１の押しボタン２５を押圧する。押圧した押しボタン２５により、図７に示すように、コイルばね２４が圧縮されるとともに、押しボタン２５に一体に設けられた一対の支持軸２３、２３を正面側板部材３から突出する。突出した一対の支持軸２３、２３は、これに一体に設けた商品押さえ片２２を商品取り付け面としての正面側板部材３の表面から離れるように移動させる。
【００５７】
商品押さえ片２２が商品取り付け面から離れている状態を保ちながら、他方の手に持った商品４０（一部分に棒体を有するもの。例えば、図９に示すめがねやゴルフクラブなど）の棒体４１をケース２の長さ方向に沿って商品取り付け面と商品押さえ片２２との間に差し込む。
【００５８】
棒体４１の差し込む際、商品押さえ片２２には窓２６が設けられているので、図６に示すように、窓２６から検知片１１を見ながら、棒体４１で検知片１１を覆うようにすることより、検知片１１が押し付け可能状態となっていることを確認することができる。
【００５９】
棒体４１を差し込んだ後、押圧していた押しボタン２５から手を離すと、圧縮状態のコイルばね２４の復元力により、商品押さえ片２２は、棒体４１を商品取り付け面に押し付けるように付勢され、商品取り付け面に押し付ける向きに移動する。これにより、図８に示すように、棒体４１が商品押さえ片２２と商品取り付け面との間で挟まれる。
【００６０】
このように盗難防止タグ１は、商品４０（図９の場合ではメガネ）の一部分である棒体４１（図９の場合はメガネのテンプル）を、クランプ２１の商品押さえ片２２によって挟んだ状態に取り付けられ、商品に対して警戒状態とされる（図１０参照）。
【００６１】
また、商品４０の棒体４１をクランプ２１の商品押さえ片２２によって挟むようにしたので、従来の盗難防止タグのように、取り付けの際に使用される結束帯や専用のベルトが不要となり、容易に商品に取り付けることができる。
【００６２】
さらに、一方の手で押しボタン２５を押しながら、他方の手で持った商品４０の棒体４１をクランプ２１の商品押さえ片２２で挟むことができるため、盗難防止タグ１の取り付け作業を効率良く行うことができる。
【００６３】
一方、盗難防止タグ１を商品４０から取り外すときは、専用の警戒解除装置で警戒状態を解除した上で、盗難防止タグ１を一方の手で持ちながら、他方の手で商品４０を持ち、クランプ２１の押しボタン２５を押圧する。
【００６４】
押しボタン２５の押圧により、クランプ２１の商品押さえ片２２を棒体４１から離れる向きに移動させ、商品押さえ片２２による棒体４１への押し付けが解除される。その解除状態で棒体４１が商品押さえ片２２と商品取り付け面との間から抜き取られる。
【００６５】
このように、盗難防止タグ１の取り外しが、商品への取り付けと同様、一方の手で持った盗難防止タグ１を他方の手で持った商品から容易に行うことができる。
【００６６】
この盗難防止タグ１のクランプ２１の構造は、商品押さえ片２２と商品取り付け面との間に商品４０の一部分を挟むことができるものであれば、適宜変更することができる。一例として、この発明の実施例２を図１１（ａ）、（ｂ）に示す。なお、以下においては、上記実施例１との相違点を中心に述べ、同一に考えられる構成に同符号を用いて、その説明を省略する。
【実施例２】
【００６７】
この実施例２では、クランプ２１は、図１１（ａ）に示すように、一対の支持軸２３に一体に、かつ背面側板部材４の表面から突出可能に設けられた押しボタン２５の代わりに、一対の支持軸２３の他端部をつなぐ連結板３３をケース２内に設けたものであり、この連結板３３と、これに形成された孔３４を貫通するばね支持部３２とでコイルばね２４を保持するようにしたのである。
【００６８】
このクランプ２１は、商品押さえ片２２を商品取り付け面から引き出すことで、連結板３３は正面側板部材３に近づくとともに、コイルばね２４が圧縮される(図１１（ｂ）参照)。コイルばね２４の復元力により商品押さえ片２２が商品取り付け面を押し付ける向きに付勢される。
【００６９】
商品４０への取り付けは、まず、クランプ２１の商品押さえ片２２を手で引き出して、ケース２との間に商品４０の一部分を差し込む。このとき、商品押さえ片２２は付勢されているので、商品押さえ片２２から手を離すと、商品押さえ片２２が商品４０の一部分をケース２との間で挟む。したがって、従来の盗難防止タグのように、結束帯や専用のベルトを巻きつけることにより取り付ける必要がなく、容易に商品４０に取り付けることができる。
【００７０】
一方、商品４０からの取り外しは、専用の警戒解除装置で警戒状態を解除した上で、商品押さえ片２２を商品４０の一部分から引き離すようにさらに引き出し、商品４０の棒体４１を抜き取ることで容易に行うことができる。
【符号の説明】
【００７１】
１  盗難防止タグ
２  ケース
３  正面側板部材
４  背面側板部材
５  ボタン型電池
６  ブザー
７  検知スイッチ
８  アンテナ
９  警告回路
１０  基板
１１  検知片
１２  スピーカー孔
１３  孔
１４  貫通孔
１５  貫通孔
１６  リブ
１７  リブ
２１  クランプ
２２  商品押さえ片
２３  支持軸
２４  コイルばね
２５  押しボタン
２６  窓
２７  円筒部
２８  フランジ
２９  固定孔
３０  緩衝部材
３１  ねじ
３２  ばね支持部
３３  連結板
３４  孔
４０  商品
４１  棒体
【図１】
2010211395.tif 000003
【図２】
2010211395.tif 000004
【図３】
2010211395.tif 000005
【図４】
2010211395.tif 000006
【図５】
2010211395.tif 000007
【図６】
2010211395.tif 000008
【図７】
2010211395.tif 000009
【図８】
2010211395.tif 000010
【図９】
2010211395.tif 000011
【図１０】
2010211395.tif 000012
【図１１】
2010211395.tif 000013